(57)【特許請求の範囲】
【請求項１】
遊技機の遊技状態に応じて点灯又は点滅する装飾装置を設けた遊技機において、
前記装飾装置は、
後方からの光の少なくとも一部を前方に透過するカバーと、
前記カバーの後方に位置し、光源からの光を通す開口部及び前記カバー側に光を反射する反射部を備える第１のリフレクターと、
前記第１のリフレクターと前記カバーの間に位置し、前記第１のリフレクター側からの光を反射させることが可能な第２のリフレクターと、
を備え、
前記第２のリフレクターは、前記光源からの光を反射する反射部と前記カバー側に光を透過する透明部を備えることを特徴とする遊技機。
【請求項２】
前記第２のリフレクターは、互いに異なる形状を有する複数の前記反射部を備えることを特徴とする請求項１に記載の遊技機。
【請求項３】
前記第１のリフレクターの開口部と前記第２のリフレクターの反射部が、前後方向に沿って並んで配置されていることを特徴とする請求項１または２に記載の遊技機。
【請求項４】
前記光源の位置が前後方向に移動可能であることを特徴とする請求項１から３のいずれか一つに記載の遊技機。
【請求項５】
前記第２のリフレクターの位置が前後方向に移動可能であることを特徴とする請求項１から４のいずれか一つに記載の遊技機。
【請求項６】
前記カバーが、層状に重ねた複数の部材から構成されることを特徴とする請求項１から５のいずれか一つに記載の遊技機。
【請求項７】
前記カバーが、多面体の形状の外面を装飾部として有することを特徴とする請求項１から６のいずれか一つに記載の遊技機。
【請求項８】
前記カバーが、後方からの光を拡散させることを特徴とする請求項１から７のいずれか一つに記載の遊技機。
【発明の詳細な説明】
【技術分野】
【０００１】
本発明は、遊技領域または遊技機の枠体などに設けられ、遊技状態に応じて点灯または点滅する装飾装置、及び、その装飾装置を搭載した遊技機に関する。
【背景技術】
【０００２】
従来、遊技機の装飾装置（電飾装置）は、カバーの透明部をほぼ均一に照明することができるように構成されている（特許文献１参照）。具体的には、装飾装置のカバーは光を透過させる透明部と光を反射させる不透明部を備え、遊技者等が正面から見た場合に、不透明部によって隠れる位置に光源が配置されている。
【先行技術文献】
【特許文献】
【０００３】
【特許文献１】特開２０１１−７８４６６号公報
【発明の概要】
【発明が解決しようとする課題】
【０００４】
しかしながら、特許文献１のような遊技機の場合、透明部と不透明部をカバーに設けているため、透明部が光を通すことにより発光しても不透明部は光を通さない。従って、装飾装置（電飾装置）自体に明るい箇所と暗い箇所ができてしまうと言う問題があった。
【０００５】
本発明は上記の課題に鑑みなされたもので、前方から視認した状態で明暗ができないように均一に発光する装飾装置を備える遊技機を提供することを目的とする。
【課題を解決するための手段】
【０００６】
本発明の代表的な一形態では、遊技機の遊技状態に応じて点灯又は点滅する装飾装置を設けた遊技機において、前記装飾装置は、後方からの光の少なくとも一部を前方に透過するカバーと、前記カバーの後方に位置し、光源からの光を通す開口部及び前記カバー側に光を反射する反射部を備える第１のリフレクターと、前記第１のリフレクターと前記カバーの間に位置し、前記第１のリフレクター側からの光を反射させることが可能な第２のリフレクターと、を備える。前記第２のリフレクターは、前記光源からの光を反射する反射部と前記カバー側に光を透過する透明部を備える。
【０００７】
なお、「光の少なくとも一部を前方に透過するカバー」は、光の透過率が１００％近傍の透明なカバーと、光の透過率が１００％近傍にない半透明なカバーも含む。「光源」は、例えばＬＥＤ（発光ダイオード）である。
【発明の効果】
【０００８】
本発明の一形態によれば、装飾装置から均一に光が放出されることになる。そして、前方（遊技者側）から見た場合に、装飾装置は明暗ができ難くなり均一に発光する。
【図面の簡単な説明】
【０００９】
【図１】本発明の第１の実施の形態の遊技機の斜視図である。
【図２】本発明の第１の実施の形態の遊技機に備えられる遊技盤の正面図である。
【図３】本発明の第１の実施の形態の遊技機に備えられる装飾装置の斜視図である。
【図４】（Ａ）本発明の第１の実施の形態の遊技機に備えられる装飾装置の正面図である。（Ｂ）本発明の第１の実施の形態の遊技機に備えられる装飾装置の側面図である。
【図５】本発明の第１の実施の形態の遊技機に備えられる装飾装置の分解図である。
【図６】（Ａ）本発明の第１の実施の形態の装飾装置に備えられるカバーの側面図である。（Ｂ）本発明の第１の実施の形態の装飾装置に備えられるカバーのＡ−Ａに沿った断面図であり、カバー内部を後方から見た図である。
【図７】（Ａ）リフレクター板の一例を示す正面図である。（Ｂ）リフレクター板の他の例を示す正面図である。
【図８】本発明の第１の実施の形態の装飾装置の上下方向の断面図であり、装飾装置内部の光源からの光の光路を示す。ただし、リフレクター板の透明部は省略されている。（Ａ）は、反射光（間接光）の光路を示し、（Ｂ）は、直接光の光路を示す。
【図９】本発明の第２の実施の形態に係る装飾装置の上下方向の断面図である。（Ａ）は、ＬＥＤ基板が前方に位置する場合を示し、（Ｂ）はＬＥＤ基板が後方に位置する場合を示す。
【図１０】本発明の第２の実施の形態に係る装飾装置の上下方向の他の断面図である。（Ａ）は、反射部を搭載したリフレクター板が後方に位置する場合を示し、（Ｂ）は反射部を搭載したリフレクター板が前方に位置する場合を示す。
【図１１】本発明の第３の実施の形態に係る装飾装置に備えられるカバーの分解図である。
【発明を実施するための形態】
【００１０】
以下、図面を参照して、本発明による遊技機の実施形態について説明する。
【００１１】
（第１の実施の形態）
〔遊技機の構成〕
図１は、本発明の第１の実施の形態の遊技機１の斜視図である。
【００１２】
遊技機１は、島設備に固定される本体枠２にヒンジ３を介して右側部が開閉回動自在に取り付けられる開閉枠４を備える。開閉枠４は、前面枠５及びガラス枠（遊技枠）６によって構成される。
【００１３】
前面枠５には、遊技盤３０（図２参照）が配設されるとともに、遊技盤３０の前面を覆うカバーガラス６ａを備えたガラス枠６が取り付けられる。前面枠５及びガラス枠６は、それぞれ個別に開放することが可能となっている。例えば、ガラス枠６のみを開放して遊技盤３０の遊技領域３１（図２参照）にアクセスすることができる。また、前面枠５をガラス枠６が開放されていない状態で開放することによって、遊技盤３０の裏側に配置された既知の遊技制御装置（メイン基板）等にアクセスすることができる。
【００１４】
ガラス枠６のカバーガラス６ａの周囲には、装飾部材７が配設されている。装飾部材７の内部にはＬＥＤ（発光ダイオード、即ち光源）等が収容されている。
【００１５】
ガラス枠６の上部には照明ユニット８が配設され、照明ユニット８の左右両側には可動式照明９が配設される。照明ユニット８は、内部にＬＥＤ等の照明部材を収容しており、遊技状態に応じて発光演出を行う。可動式照明９は、ＬＥＤ等の照明部材と、照明部材を駆動する照明駆動モータ等を備える。
【００１６】
遊技機１は、効果音や警報音、報知音等を発する上スピーカー１０ａ及び下スピーカー１０ｂを備える。上スピーカー１０ａはガラス枠６の上両側部に配置され、下スピーカー１０ｂは上皿ユニット１１を構成する上皿１１ａの下方に配置される。
【００１７】
左側部に配設される可動式照明９の右上方には、遊技機１における異常を報知するための遊技状態報知ＬＥＤ１２が設けられている。遊技機１において異常が発生した場合には、遊技状態報知ＬＥＤ１２が点灯又は点滅するとともに、上スピーカー１０ａ及び下スピーカー１０ｂから異常を報知するための報知音が出力される。
【００１８】
遊技機１で発生する異常には、遊技機１の故障及び不正行為の実施等が含まれる。不正行為には、例えば、発射された遊技球の軌道を磁石によって不正に操作する行為や遊技機１を振動させる行為等が含まれる。これらの不正行為は、磁気センサスイッチによって磁気を検出したり、振動センサスイッチによって振動を検出したりすることで検知される。
【００１９】
また、不正に開閉枠４を開放する行為も不正行為に含まれる。前面枠５の開閉状態は前面枠開放検出スイッチによって検出され、ガラス枠６の開閉状態はガラス枠開放検出スイッチによって検出される。
【００２０】
ガラス枠６の下部には、上皿１１ａを含む上皿ユニット１１が備えられる。上皿１１ａに貯留された遊技球は、前面枠５の下部に設けられる球発射装置（図示省略）に供給される。
【００２１】
ガラス枠６の下方位置において前面枠５に固定される固定パネル１３には、下皿１４と、球発射装置を駆動するための操作部１５とが備えられる。遊技者が操作部１５を回動操作することによって、球発射装置は上皿１１ａから供給された遊技球を遊技盤３０の遊技領域３１（図２参照）に発射する。下皿１４には、当該下皿１４に貯留された遊技球を外部へ排出するための球抜き機構１６が設けられる。
【００２２】
上皿ユニット１１には、遊技者からの操作入力を受け付けるための演出ボタン１７が上皿１１ａの手前側に配設されている。遊技者が演出ボタン１７を操作することによって、変動表示装置（表示装置）３５（図２参照）での変動表示ゲームにおいて遊技者の操作を介入させた演出を行うことができ、例えば通常遊技状態においては演出パターン（演出態様）を変更することができる。変動表示ゲームには、特図変動表示ゲームと普図変動表示ゲーム（普図ゲーム、特定変動表示ゲーム）が含まれるが、本明細書では単に変動表示ゲームとした場合には特図変動表示ゲームを指すものとする。
【００２３】
なお、通常遊技状態（通常状態）とは、特定の遊技状態が発生していない遊技状態である。特定の遊技状態とは、例えば変動表示ゲームの結果が大当りになる確率が高い確変遊技状態（高確率状態）、変動表示ゲームの単位時間当たりの実行数を向上させることが可能な時短遊技状態、大当り遊技状態（特別遊技状態）等である。また、高確率状態に対応して通常遊技状態を低確率状態ともいう。遊技状態は、第１始動入賞口３７ａ又は第２始動入賞口３７ｂへの遊技球の入賞時に、遊技制御装置の乱数による抽選によって決定される。
【００２４】
図示しない既知の演出制御装置（サブ基板）は、遊技状態に応じて、ＬＥＤの点灯点滅などの演出の制御を行う。また、演出制御装置は、遊技制御装置の各特図変動表示ゲームに対応して、変動表示装置３５にて複数種類の識別情報（例えば、数字、記号、キャラクタ図柄など）を変動表示させる飾り特図変動表示ゲームを実行する。また、変動表示装置３５では、興趣向上のためにキャラクタの出現など多様な演出表示が行われる。
【００２５】
ガラス枠６の装飾部材７の下部には、遊技者が遊技球を借りる場合に操作する球貸ボタン１８と、カードユニット（図示省略）からプリペイドカード等を排出させるために操作される排出ボタン１９とが配設される。
【００２６】
〔遊技盤の構成〕
図２は、本発明の第１の実施の形態の遊技機１に備えられる遊技盤３０の正面図である。
【００２７】
遊技盤３０は、各種部材の取り付けベースとなる平板状の遊技盤本体３２（木製又は合成樹脂製）を備え、該遊技盤本体３２の前面にガイドレール３３で囲まれた略円形状の遊技領域３１を有している。また、遊技盤本体３２の前面であってガイドレール３３の外側には、前面構成部材（サイドケース）が取り付けられている。さらに、遊技領域３１の右下側の前面構成部材は、前面の中央部が黒色透明の証紙プレートで覆われている。そして、このガイドレール３３で囲まれた遊技領域３１内に打球発射装置から遊技球を発射して遊技を行うようになっている。遊技領域３１には、打球方向変換部材としての風車や多数の障害釘（図示略）などが配設されており、発射された遊技球はこれらの打球方向変換部材により転動方向を変えながら遊技領域３１を流下する。
【００２８】
遊技領域３１の略中央には、変動表示ゲームの表示領域となる窓部を形成するセンターケース３４が取り付けられている。センターケース３４に形成された窓部の後方には、複数の識別情報を変動表示（可変表示）する変動表示ゲームの演出を実行可能な演出表示装置としての変動表示装置（表示装置）３５が配置されている。変動表示装置３５は、例えば、液晶ディスプレイなどの表示部３５ａを備え、センターケース３４の窓部を介して遊技盤３０の前面側から表示内容が視認可能となるように配置される。なお、変動表示装置３５は、液晶ディスプレイを備えるものに限らず、ＥＬ、ＣＲＴ等のディスプレイを備えるものであってもよい。
【００２９】
変動表示装置３５において、表示画面の画像を表示可能な領域（表示領域）には、複数の変動表示領域が設けられており、各変動表示領域に識別情報（特別図柄）や変動表示ゲームを演出するキャラクタが表示される。その他、表示画面には遊技の進行に基づく画像（例えば、大当り表示、ファンファーレ表示、エンディング表示等）が表示される。
【００３０】
遊技領域３１の変動表示装置３５の上側（上方）には、装飾装置７０（電飾装置）が備えられている。装飾装置７０は、ＬＥＤ、リフレクター、カバー（外装カバー）などから構成される。装飾装置７０は、内部のＬＥＤが発光することによって、全体として光る演出を行う。なお、装飾装置７０の詳細な構成は、後述される。
【００３１】
遊技領域３１のセンターケース３４の右側には、普通図柄始動ゲート（普図始動ゲート、所定領域）３６が設けられている。普図始動ゲート３６の内部には、該普図始動ゲート３６を通過した遊技球を検出するためのゲートスイッチ（ＳＷ）が設けられている。そして、遊技領域３１内に打ち込まれた遊技球が普図始動ゲート３６内を通過（所定条件の成立）すると、普図変動表示ゲーム（特定変動表示ゲーム）が実行される。なお、普通図柄始動ゲート（普図始動ゲート、所定領域）３６を遊技領域３１のセンターケース３４の左側にも設けてもよい。
【００３２】
さらに、センターケース３４の左下側には、三つの一般入賞口４０が配置され、センターケース３４の右下側には、一つの一般入賞口４０が配置されている。また、一般入賞口４０への遊技球の入賞は、一般入賞口４０に備えられた入賞口スイッチ（ＳＷ）によって検出される。
【００３３】
また、センターケース３４の下方には、特図変動表示ゲームの開始条件を与える第１始動入賞口（第１始動入賞領域、始動口１）３７ａが設けられ、その直下には上部に逆「ハ」の字状に開いて遊技球が流入し易い状態に変換する一対の開閉部材３７ｃを備えるとともに内部に第２始動入賞口（第２始動入賞領域、始動口２）３７ｂが配設されている。そして、遊技球が第１始動入賞口３７ａ又は第２始動入賞口３７ｂに入賞した場合には、補助遊技として特図変動表示ゲームが実行される。すなわち、第１始動入賞口３７ａ又は第２始動入賞口３７ｂに遊技球が入賞することが特図変動表示ゲームを開始するための始動条件となっており、第１始動入賞口３７ａ及び第２始動入賞口３７ｂが当該始動条件を発生させる変動始動入賞装置をなしている。
【００３４】
第２始動入賞口３７ｂの一対の開閉部材３７ｃは、常時は遊技球の直径程度の間隔をおいた閉じた閉状態（遊技者にとって不利な状態）を保持している。ただし、第２始動入賞口３７ｂの上方には、第１始動入賞口３７ａが設けられているので、閉じた状態では遊技球が入賞できないように構成されている。
【００３５】
そして、普図変動表示ゲームの結果が所定の停止表示態様となった場合には、開閉部材３７ｃは、駆動装置としての普電ソレノイドによって、逆「ハ」の字状に開いて第２始動入賞口３７ｂに遊技球が流入し易い開状態（遊技者にとって有利な状態）に変化させられるように構成されている。
【００３６】
さらに遊技領域３１の普通図柄始動ゲート３６の下方には、大入賞口ソレノイドによって上端側が手前側に倒れる方向に回動して開放可能になっているアタッカ形式の開閉扉４１ａを有する大入賞口を備えた特別変動入賞装置４１が設けられている。特別変動入賞装置４１は、特図変動表示ゲームの結果によって大入賞口を閉じた状態（遊技者にとって不利な閉塞状態）から開放状態（遊技者にとって有利な状態、特別遊技状態）に変換し、大入賞口内への遊技球の流入を容易にさせることで、遊技者に所定の遊技価値（賞球）を付与するようになっている。なお、大入賞口の内部（入賞領域）には、当該大入賞口に入った遊技球を検出する検出手段としてのカウントスイッチが配設されている。
【００３７】
一般入賞口４０、第１始動入賞口３７ａ、第２始動入賞口３７ｂ、及び特別変動入賞装置４１の大入賞口に遊技球が入賞すると、払出制御装置は、入賞した入賞口の種類に応じた数の賞球を払出装置から前面枠５の上皿１１ａ又は下皿１４に排出するように制御する。また、第２始動入賞口３７ｂの下方には、入賞口などに入賞しなかった遊技球を回収するアウト口４２が設けられている。
【００３８】
遊技機１では、球発射装置（図示省略）によって打ち出された遊技球は、ガイドレール３３の内周壁に沿って区画された発射球案内通路４３を通って遊技領域３１内に発射され、方向変換部材（図示省略）によって落下方向を変えながら遊技領域３１を流下する。発射球案内通路４３はガイドレール３３と内レール４４とによって形成されており、発射球案内通路４３の出口に位置する内レール４４の端部には弁体４６が設けられる。弁体４６の下端は内レール４４に固定され、弁体４６は発射球案内通路４３の出口を塞ぐように配設される。弁体４６は、金属板からなる板ばね部材であり、発射球案内通路４３から遊技領域３１に発射される遊技球の通過を許容する一方、遊技領域３１側から発射球案内通路４３への遊技球の逆流を禁止する。
【００３９】
〔装飾装置〕
次に、装飾装置７０について、詳細に説明する。図３は、本発明の第１の実施の形態の遊技機１に備えられる装飾装置７０の斜視図である。図４（Ａ）は装飾装置７０の正面図であり、図４（Ｂ）は装飾装置７０の側面図である。
【００４０】
装飾装置７０は、組み合わされた複数の部材から構成される。複数の部材は、ＬＥＤ基板７１（ＬＥＤ基板）と、取付けベース７２（取付け基部）と、リフレクター搭載部７３（反射板搭載部）と、リフレクター板７４と、カバー７５と、装飾部材７６とを含む。例えば、複数の部材は、それぞれ樹脂（プラスチック）を主材料として形成される。ＬＥＤ基板７１は、プリント配線基板でもよい。リフレクター板７４（反射部７４ａ以外の部分７４ｄ）とカバー７５は、基本的には光（可視光）の透過率が１００％近傍で透明であるが、光の透過率が１００％近傍になく半透明でもよい。リフレクター板７４とカバー７５は、装飾のために部分的又は全体的に透明度を大きく落とさない程度に着色されてもよい。リフレクター板７４とカバー７５の材料は、ガラスなどでもよい。
【００４１】
リフレクター搭載部７３は前方（即ち遊技者側）から取付けベース７２に取付けられ、カバー７５は前方（即ち遊技者側）からリフレクター搭載部７３に取付けられる。なお、ＬＥＤ基板７１は後方から取付けベース７２に取付けられ、リフレクター板７４はカバー７５の内面（後側の表面）に取付けられ、これらは図３と図４では図示されていない。これら部材の取付（接続）は、螺子止め、嵌合、接着等の既知の接続方法によって行われる。装飾装置７０は、ＬＥＤ基板７１のＬＥＤの光をカバー７５内で拡散した後、カバー７５を通して前方に向けて光を発する。
【００４２】
取付けベース７２がセンターケース３４の裏側（遊技者側とは反対側）から螺子止め等によってセンターケース３４に取付けられていることによって、装飾装置７０は遊技盤３０に取付けられる。このため、取付けベース７２には、螺子穴７２ａが設けられている。リフレクター搭載部７３の略半円状の凹部７３ａには、カバー７５が載置され、カバー７５の後方の端部が収容される。
【００４３】
カバー７５は、外装カバーとして機能する。カバー７５は、前方で閉じ後方で開口した容器状の形状を有し、内部にリフレクター板７４を収容するとともにリフレクター搭載部７３のリフレクター８０の一部又は全部を覆う。カバー７５の多面体の外面（外形）は、略半分に分割したダイヤモンド形状（ブリリアントカットの形状）を模して華やか又は綺羅びやかな印象を与える装飾部となる。装飾部材７６（支持部材）は、リフレクター搭載部７３に取付けられる基部７６ａと、基部７６ａから放射状に延びる四本の指部７６ｂとを備え、下方及び前方からカバー７５を支持するとともに、装飾として機能する。指部７６ｂは、カバー７５の前端の凸形状に適合するように屈曲している。
【００４４】
装飾装置７０は、さらに、カバー７５の両側に配置された装飾部分７７を備える。装飾部分７７は、後述のように取付けベース７２の二つの飾り部７２ｂと、リフレクター搭載部７３の二つの飾り枠部７３ｂとが各々組み合わされることによって構成される。
【００４５】
図５は、本発明の第１の実施の形態の遊技機１に備えられる装飾装置７０の分解図である。装飾装置７０において、ＬＥＤ基板７１、取付けベース７２、リフレクター搭載部７３、リフレクター板７４、カバー７５は、後方からこの順に積層され組み合わされている。
【００４６】
ＬＥＤ基板７１は、本体部７１ａと、本体部７１ａの下方に延びる二つの延在部７１ｂ、７１ｃを備え、光源として、本体部７１ａ上に取付けられた複数のＬＥＤ７１ｄ（光源）と、二つの延在部７１ｂ、７１ｃ上に取付けられたＬＥＤ７１ｅを備える。これらＬＥＤは、前方のカバー７５側に向けて発光し、可視光であれば、赤、青、白等何色の光を出してもよい。ＬＥＤ基板７１は、複数のＬＥＤ７１ｄ、７１ｅに電流を供給するための電源７１ｆ（電源用のソケットでもよい）と配線を備える。ＬＥＤ７１ｄ、７１ｅの点灯又は点滅の制御は、配線を介して、図示しない演出制御装置によって遊技状態に応じて行われる。演出制御装置は、遊技制御装置から送られる遊技状態を示す信号に基づいて演出の制御を行うもので、マイクロコンピュータ、メモリ、インターフェースなどから構成される。
【００４７】
取付けベース７２は、中央部７２ｅにおいて、複数のレンズ７２ｃを有する。ＬＥＤ基板７１が取付けベース７２に取付けられた装飾装置７０において、複数のレンズ７２ｃは、複数のＬＥＤ７１ｄ（光源）に対応する位置に設けられる。即ち、レンズ７２ｃは、ＬＥＤ７１ｄの位置を前方に移動させた位置にある。レンズ７２ｃは、中央部７２ｅに設けた開口に嵌め込まれた形で設置され、ＬＥＤ７１ｄの狭い光の照射範囲（照射角度）を拡大して、前方にＬＥＤ７１ｄからの光を照射する。
【００４８】
取付けベース７２は、ＬＥＤ基板７１においてレンズ７２ｃに対応していないＬＥＤ７１ｇからの光をそのまま通過させる孔部７２ｄを中央部７２ｅの両側に有する。取付けベース７２は、装飾部分７７を構成する飾り部７２ｂを有する。装飾装置７０において、ＬＥＤ基板７１の二つの延在部７１ｂ、７１ｃ上のＬＥＤ７１ｅから照射された光は、透明または半透明の飾り部７２ｂ（色が付けられてもよい）を通過して前方を照らして、演出を行う。
【００４９】
リフレクター搭載部７３には、略半円状の凹部７３ａの底を構成して概略で扇型を有するリフレクター（反射板）８０が搭載される。リフレクター８０は、カバー７５の開口を閉じるように、カバー７５の開口側の端部に接触し、カバー７５を載置する。リフレクター８０の扇型形状は、カバー７５の後方端面の形状に合わせたものであり、これに限定されるものではない。なお、リフレクター搭載部７３の前面７３ｃには、他の装飾用の部材を取り付けるための螺子穴（係合部）を設けてもよい。
【００５０】
リフレクター８０（第１のリフレクター）において、カバー７５に覆われる部分には、リフレクター板７４（第２のリフレクター）の反射部７４ａからの光を反射するための反射部８０ａが設けられている。反射部８０ａは、リフレクター８０の表面に反射材料を付着することによって形成できる。反射材料は、好ましくは金属（例えばアルミニウムなど）でありメッキや蒸着等によって付されるが、光（可視光）を反射するものであればこれに限定されるものではない。反射材料は、反射塗料などでもよい。なお、リフレクター（反射板）８０全体を金属片で構成することもできる。また、リフレクター８０の反射部８０ａにおいて放射状に溝８０ｂが形成されており凹凸が形成されている。このため、反射部８０ａは、リフレクター板７４からの光を前方に向けて乱反射（拡散反射）してより拡散できる。
【００５１】
リフレクター８０には、複数の開口部８０ｃが形成されている。取付けベース７２がリフレクター搭載部７３に取付けられた装飾装置７０において、複数の開口部８０ｃは、複数のレンズ７２ｃに対応する位置に設けられる。即ち、開口部８０ｃは、レンズ７２ｃの位置を前方にずらした位置にあり、開口部８０ｃは、レンズ７２ｃの前方の一部を収容してもよい。これにより、前後方向に沿って、ＬＥＤ７１ｄ、レンズ７２ｃ、開口部８０ｃは、並べて配置されることになる。そして、ＬＥＤ基板７１の本体部７１ａ上で前方側に設置された複数のＬＥＤ７１ｄからの光は、取付けベース７２のレンズ７２ｃを通過した後に、リフレクター８０の開口部８０ｃから前方のリフレクター板７４側へ出射する。
【００５２】
リフレクター板７４は、少なくともリフレクター８０側に向けて光（可視光）を反射する複数の反射部７４ａと、反射部７４ａが設置される板状部７４ｂを備える。板状部７４ｂは、樹脂等で形成され略透明である。従って、板状部７４ｂは、反射部７４ａが設置されていない部分（透明部）７４ｄで光を透過する。例えば、反射部７４ａは、板状部７４ｂの表面に反射材料を付着することによって形成できる。反射材料は、好ましくは金属（例えばアルミニウムなど）であり、反射部７４ａは、メッキや蒸着等によって付される金属箔であるが、反射材料は光（可視光）を反射するものであればこれに限定されるものではない。また、反射材料は、反射塗料などでもよい。なお、反射部７４ａ全体を金属片や微小な鏡で構成することもできる。この場合には、反射部７４ａを板状部７４ｂに埋め込んで形成することもできる。なお、リフレクター板７４の反射部７４ａは、凹凸が形成されて、光を後方に向けて乱反射して拡散してもよい。また、反射部７４ａは、後方の面（後面）において、リフレクター８０側から来た光（ＬＥＤ７１ｄからの光）をリフレクター８０側に向けて反射するが、前方の面（前面）においては、前方から視認された場合の装飾のため着色して反射しない構成としてもよい。
【００５３】
また、リフレクター板７４は、リフレクター板７４の反射部７４ａが設けられる主面に垂直な方向（即ち前後方向）に若干突出して、カバー７５の内面に接する縁部７４ｃを備えている。ＬＥＤ基板７１のＬＥＤ７１ｄ（又はリフレクター８０の開口部８０ｃ）とリフレクター板７４の反射部７４ａは、ＬＥＤ７１ｄからの光が反射部７４ａに当たるように、前後方向に並べて配置されている。なお、ＬＥＤ７１ｄからの光が反射部７４ａに当たる範囲で、ＬＥＤ７１ｄと反射部７４ａの位置は、前後方向に対して垂直にずれてもよい。
【００５４】
カバー７５は、反射部８０ａとリフレクター板７４を覆い、後方からの光の少なくとも一部を前方に透過する略透明又は半透明な樹脂（プラスチック）などから形成される。ＬＥＤ基板７１のＬＥＤ７１ｄから直接的に届いた直接光と、ＬＥＤ７１ｄからの光がリフレクター板７４の反射部７４ａとリフレクター８０の反射部８０ａで反射されて届いた反射光（間接光）は、カバー７５を通過して前方（遊技者側）に拡散して照射される。なお、カバー７５が多面体であることから、特に多面体の面の境界付近で、同一方向にカバー７５に入った光も屈折して種々の方向に進み拡散される。また、通常、カバー７５の表面に微小な凹凸があることや、カバー７５の内面と外面が完全に平行でないことから、カバー７５を透過する光は進行方向がある程度拡散されることになる。また、カバー７５の内面（後側の表面）などにカバー７５からの光を拡散させる複数のレンズ状の構造を設けてもよいし、カバー７５の材料に光を拡散させる拡散剤（拡散粒子）を含ませてもよい。さらに、カバー７５が、所定の反射率を有しある程度光を反射する場合には、カバー７５の内面に当たった光が、後方に戻って、リフレクター８０の反射部８０ａで乱反射され再度前方に進み、カバー７５内でより光が拡散され得る場合もある。
【００５５】
装飾部材７６は、透明でも不透明でもよい。装飾部材７６（支持部材）の基部７６ａは、リフレクター搭載部７３のリフレクター８０の下部に位置する孔８０ｇに挿入され、接着などにより固定される。装飾部材７６の四本の指部７６ｂは、カバー７５を後方のリフレクター８０に押すようにして支持する。
【００５６】
図６（Ａ）は、カバー７５の側面図を示す。図６（Ｂ）は、図６（Ａ）のＡ−Ａに沿った断面図であり、カバー７５内部を後方から見た図である。カバー７５内には、リフレクター板７４が配置されている。リフレクター板７４は、反射部７４ａ以外の部分（透明部）７４ｄでは略透明であり、後方からの光を前方に透過する。リフレクター板７４は、カバー７５内に嵌め込まれ、その縁部７４ｃがカバー７５の内面に接してカバー７５に固定される。図６（Ｂ）のように、リフレクター板７４の複数の反射部７４ａは、互いに異なる形状を有してよい。
【００５７】
図７（Ａ）（Ｂ）は、リフレクター板７４の一例を示す正面図である。図７（Ａ）において、リフレクター板７４の複数の反射部７４ａは、互いに異なる２種類の菱形の形状を有する。図７（Ｂ）において、リフレクター板７４の複数の反射部７４ａは、互いに異なる３種類以上の形状を有する。複数の反射部７４ａが互いに異なる形状を有することによって、前方から見ると種々の形状の反射部７４ａがカバー７５に映り装飾性が向上する。さらに、反射部７４ａの形状に応じた種々の反射光が生じるため、カバー７５内でより光が拡散される可能性がある。
【００５８】
図８は、装飾装置７０の上下方向の断面図である。図８（Ａ）は、装飾装置７０の内部において、ＬＥＤ７１ｄからの光がリフレクター板７４の反射部７４ａとリフレクター８０の反射部８０ａとで反射されて生じた反射光（間接光）の光路の一部（最も外側の光線の光路１０１）を示す。図８（Ｂ）は、装飾装置７０の内部において、ＬＥＤ７１ｄからの直接光の光路の一部（最も外側の光線の光路１０２）を示す。なお、図８（Ａ）（Ｂ）において、前後方向が光軸方向となっている。
【００５９】
ＬＥＤ７１ｄからの光は、レンズ７２ｃを介して所定の照射角度ａ１の範囲で前方（カバー７５側）へ放出される。反射部７４ａの大きさ（幅Ｚ）は、反射部７４ａの位置におけるＬＥＤ７１ｄの照射範囲（幅Ｗ１）より小さく、反射部７４ａはＬＥＤ７１ｄの照射範囲に入る。従って、ＬＥＤ７１ｄの光の一部は、反射部７４ａで反射され反射光（間接光）となり、ＬＥＤ７１ｄの光の他の一部は、反射部７４ａ以外の箇所でリフレクター板７４を通過して直接光となり分かれて進む。
【００６０】
リフレクター板７４の反射部７４ａからの反射光は、リフレクター８０に達するまでに既に幅Ｗ２の範囲まで広がっているため、リフレクター８０で反射された後カバー７５に達するまでにさらに幅Ｗ３の範囲まで大きく広がる。これは、反射部７４ａからの反射光は、リフレクター板７４（反射部７４ａ）とリフレクター８０間の距離の分だけ、実質的にカバー７５に達するまでの光路が長くなっているためである。また、反射部７４ａからの光は、リフレクター８０の凹凸のある反射部８０ａで乱反射（拡散反射）するため、幅Ｗ３の範囲まで大きく広がる。なお、反射部７４ａが複数あるため、リフレクター８０からの反射光を再度別の反射部７４ａで反射するようにして、光をより拡散してもよい。
【００６１】
遊技機の光源は消費電力や寿命の観点より従来の電球から現在はＬＥＤを使うようになっている。ＬＥＤの光源は基板に備わっているため、電球に比べると発光源の周囲特に発光源の後方を照らすことが難しく、照明が不均一になり易い。しかし、本実施形態では、リフレクター板７４上の反射部７４ａは後方のリフレクター８０に向けて反射光を照射し、反射部７４ａからの反射光をリフレクター８０でさらに反射させて前方を照射するようにしたため、装飾装置７０に前方を照射するＬＥＤだけを同じ数設けた場合に比較して、照明が均一になり、カバー７５全体の発光も明るくなる。さらに、ＬＥＤ７１ｄの光は、直接光と反射光（間接光）に分かれて進むため、カバー７５内で光が拡散されて、装飾装置７０は、より均一に発光でき、発光も明るくなり得る。
【００６２】
なお、図８（Ａ）（Ｂ）において、リフレクター板７４の反射部７４ａは、見やすくするため大きく示されているが、リフレクター板７４の板状部７４ｂの主面の面積に対する複数の反射部７４ａの総面積の割合（反射部割合）が大きくなり過ぎると、光がリフレクター板７４を通過できず、装飾装置７０の発光は弱くなる。従って、リフレクター板７４の反射部割合は、装飾装置７０の明るさと発光の均一性が適切になるように実験的に決定されてよい。その他、反射部７４ａの形状、配置、個数は、装飾装置７０の明るさと発光の均一性に影響するため、実験的に適切に決定されてよい。
【００６３】
同様に、リフレクター８０の複数の開口部８０ｃの総面積の割合（開口部割合）が大きくなり過ぎると、光がリフレクター８０で反射しにくくなり、装飾装置７０の発光の均一性が低下する可能性がある。従って、リフレクター８０の開口部割合は、装飾装置７０の発光の均一性が適切になるように実験的に決定されてよい。その他、開口部８０ｃの形状、配置、個数は、装飾装置７０の明るさと発光の均一性に影響するため、実験的に適切に決定されてよい。
【００６４】
なお、リフレクター搭載部７３には、略半円状の凹部７３ａの上部の壁面７３ｅには、反射材料を付着することによって反射部７３ｆが形成されてもよい。これにより、カバー７５から上向きに出た光が、反射されて前方に向かうことになる。
【００６５】
（第１の実施の形態の効果）
第１の実施の形態によると、遊技機１は、遊技機１の遊技状態に応じて点灯又は点滅する装飾装置７０を有する。装飾装置７０において、カバー７５は、後方からの光の少なくとも一部を前方に透過し、リフレクター８０（第１のリフレクター）は、カバー７５の後方に位置し、ＬＥＤ７１ｄ（光源）からの光を通す開口部８０ｃ及びカバー７５側に光を反射する反射部８０ａを備える。装飾装置７０において、リフレクター板７４（第２のリフレクター）は、リフレクター８０とカバー７５の間に位置し、リフレクター８０側からの光を反射させることが可能である。リフレクター板７４は、ＬＥＤ７１ｄ（光源）からの光を反射する反射部７４ａとカバー７５側に光を透過する透明部７４ｄを備える。
【００６６】
このように、カバー７５を発光させるＬＥＤ７１ｄ（光源）との間にリフレクターを二重になるように二つ配置することによって、カバー７５側の第２のリフレクターと光源側の第１のリフレクターとの間で光源からの光が反射して拡散することとなり、カバー７５から均一に光が放出されカバー７５全体をむらなく発光させることができる。また、電球に比べ周囲を発光させ難いＬＥＤのような光源であっても、第２のリフレクターの反射部７４ａに対して光を当てて反射させることで、もう一方の第１のリフレクターの反射部８０ａにも光を当てることができる。
【００６７】
リフレクター板７４（第２のリフレクター）は、互いに異なる形状を有する複数の反射部７４ａを備える。このようにリフレクター板７４の反射部７４ａのデザインをいろいろなものにすると、カバー７５側から視認すると、反射部７４ａの形状がカバー７５に映されることとなり装飾性が上がる。
【００６８】
リフレクター８０の開口部８０ｃとリフレクター板７４の反射部７４ａが、前後方向に沿って並んで配置されている。従って、ＬＥＤ７１ｄ（光源）から開口部８０ｃを通った光が、好適にリフレクター板７４の反射部７４ａで反射できるようになる。
【００６９】
カバー７５が、後方からの光を拡散させるため、むらのない光で前方の遊技者側を照らすことができる。カバー７５は、多面体の形状の外面を装飾部として有するため、カバー７５の装飾性が増すとともに、カバー７５の後方からの光をカバー７５が拡散できる。
【００７０】
（第２の実施の形態）
図９と図１０は、第２の実施の形態に係る装飾装置７０の上下方向の断面図である。第２の実施の形態において、ＬＥＤ基板７１に設けられたＬＥＤ７１ｄ（光源）とリフレクター板７４に設けられた反射部７４ａが前後に移動可能に構成される。このため、ＬＥＤ基板７１とリフレクター板７４は、図示しない既知の駆動機構によって前後に移動できるように構成される。駆動機構は、電気モータやギアその他の機構（電気モータの回転を並進運動に変換する機構など）から構成できる。他の構成は、第１の実施の形態と同様である。
【００７１】
図９（Ａ）は、ＬＥＤ基板７１が取付けベース７２の主面及びリフレクター８０に最も近接する位置にある状況を示す。この場合に、ＬＥＤ基板７１のＬＥＤ７１ｄ（光源）は、取付けベース７２のレンズ７２ｃ及びリフレクター８０の開口部８０ｃに最も近接するため、リフレクター板７４に達したときのＬＥＤ７１ｄの光の幅（広がり）Ｗ１は、相対的に狭い。また、この場合に、反射部７４ａからの反射光がリフレクター８０を照射する照射幅Ｗ２も相対的に狭くなる。
【００７２】
図９（Ｂ）は、ＬＥＤ基板７１が取付けベース７２の主面及びリフレクター８０から最も離れた位置にある状況を示す。この場合に、ＬＥＤ基板７１のＬＥＤ７１ｄ（光源）は、レンズ７２ｃ及び開口部８０ｃから最も離れるため、リフレクター板７４に達したときのＬＥＤ７１ｄの光の幅（広がり）Ｗ１は、図９（Ａ）の場合より相対的に広くなる。また、この場合に、反射部７４ａからの反射光がリフレクター８０を照射する照射幅Ｗ２も相対的に広くなる。
【００７３】
なお、光の幅Ｗ１が反射部７４ａの幅Ｚより大きいとそれ以上光の幅Ｗ１を広げても、リフレクター８０において反射部７４ａからの反射光の照射幅Ｗ２は変化しない。このため、ＬＥＤ基板７１がリフレクター８０に最も近接する位置にある場合（図９（Ａ））において、光の幅Ｗ１は、反射部７４ａの幅Ｚより小さくなるようにしておいてよい。また、ＬＥＤ基板７１がリフレクター８０から最も離れた位置にある場合（図９（Ｂ））において、照射幅Ｗ２が最大限広がるように、光の幅Ｗ１は、反射部７４ａの幅Ｚより大きくなるようにしておいてよい。
【００７４】
図１０（Ａ）は、リフレクター板７４がリフレクター８０に最も近接する位置にある状況を示す。この場合に、リフレクター板７４の反射部７４ａは、リフレクター８０に最も近接するため、リフレクター板７４に達したときのＬＥＤ７１ｄの光の幅（広がり）Ｗ１は、相対的に狭い。また、この場合に、反射部７４ａからの反射光がリフレクター８０を照射する照射幅Ｗ２も相対的に狭くなる。
【００７５】
図１０（Ｂ）は、リフレクター板７４がリフレクター８０から最も離れた位置にある状況を示す。この場合に、リフレクター板７４の反射部７４ａは、リフレクター８０から最も離れるため、リフレクター板７４に達したときのＬＥＤ７１ｄの光の幅（広がり）Ｗ１は、図１０（Ａ）の場合より相対的に広くなる。また、この場合に、反射部７４ａからの反射光がリフレクター８０を照射する照射幅Ｗ２も相対的に広くなる。
【００７６】
なお、光の幅Ｗ１が反射部７４ａの幅Ｚより大きいとそれ以上光の幅Ｗ１を広げても、リフレクター８０において反射部７４ａからの反射光の照射幅Ｗ２は変化しない。このため、リフレクター板７４がリフレクター８０に最も近接する位置にある場合（図１０（Ａ））において、光の幅Ｗ１は、反射部７４ａの幅Ｚより小さくなるようにしておいてよい。また、リフレクター板７４がリフレクター８０から最も離れた位置にある場合（図１０（Ｂ））において、照射幅Ｗ２が最大限広がるように、光の幅Ｗ１は、反射部７４ａの幅Ｚより大きくなるようにしておいてよい。
【００７７】
なお、カバー７５の高さと幅は、前方に行くほど小さくなっている。このため、リフレクター板７４がリフレクター８０から最も離れた位置にある場合のカバー７５の高さと幅よりもリフレクター板７４の高さと幅を小さくしておく。また、駆動機構からの並進力をリフレクター板７４に加わえられるように、カバー７５の下部等の一部を切欠いて駆動機構からリフレクター板７４に並進力を伝える構成としてもよい。即ち、リフレクター板７４の下部等を駆動機構で動かす構成としてもよい。
【００７８】
（第２の実施の形態の効果）
遊技機１の装飾装置７０の前方にはカバーガラス６ａが位置し、後方には入賞した遊技球を排出するための流路を備えていることがあるため、装飾装置７０全体を前後に動かすことは困難である。しかし、本実施形態において、装飾装置７０内でＬＥＤ基板７１のみを前後方向へ移動可能であるため、装飾装置７０全体を前後方向に動かさなくても動かした場合と同等以上に装飾性が増す。即ち、ＬＥＤ基板７１のＬＥＤ７１ｄ（光源）を前後方向へ移動して、ＬＥＤ７１ｄとリフレクター板７４との距離を調整することによって、ＬＥＤ７１ｄの光がリフレクター板７４に到達するまでの光路の長さが変わり、装飾装置７０の発光態様を変化させることができ、装飾装置７０の装飾性が増す。
【００７９】
また、ＬＥＤ７１ｄを後方へ動かした場合に、前方に位置した場合に比べて、ＬＥＤ７１ｄからカバー７５までの直接光と反射光の光路が長くなるので、カバー７５内でより光が拡散する。即ち、ＬＥＤ７１ｄとリフレクター８０との距離を大きくするほど、カバー７５の発光の均一性が増加する。なお、演出制御装置が、駆動機構の電気モータに指示することによって、遊技状態に応じて、ＬＥＤ７１ｄを前後方向に移動させて装飾装置７０の発光態様を変える演出も行える。
【００８０】
また、本実施形態において、装飾装置７０内でリフレクター板７４のみを前後方向へ移動可能であるため、装飾装置７０全体を前後方向に動かさなくても動かした場合と同等以上に装飾性が増す。即ち、リフレクター板７４の反射部７４ａを前後方向へ移動して、反射部７４ａとリフレクター８０との距離を調整することによって、ＬＥＤ７１ｄの光が反射部７４ａに到達するまでの光路の長さが変わり、装飾装置７０の発光態様を変化させることができ、装飾装置７０の装飾性が増す。
【００８１】
また、反射部７４ａを前方へ動かした場合に、後方に位置した場合に比べて、ＬＥＤ７１ｄからカバー７５までの反射光の光路が長くなるので、カバー７５内でより光が拡散する。即ち、反射部７４ａとリフレクター８０との距離を大きくするほど、カバー７５の発光の均一性が増加する。なお、演出制御装置が、駆動機構の電気モータに指示することによって、遊技状態に応じて、リフレクター板７４の反射部７４ａを前後方向に移動させて装飾装置７０の発光態様を変える演出も行える。
【００８２】
（第３の実施の形態）
図１１は、第３の実施の形態に係るカバー１７５の分解図である。第３の実施の形態において、カバー１７５は、多層構造を有し、第一のカバー部材１７５ａと、第二のカバー部材１７５ｂと、第三のカバー部材１７５ｃが層状に重ねられている。この多層構造によって、複数回光が拡散され、光がより拡散して前方へ進むため、カバー１７５から出る光の不均一性が減少する。第一のカバー部材１７５ａと、第二のカバー部材１７５ｂと、第三のカバー部材１７５ｃは、いずれも略透明であり、光を透過する。
【００８３】
リフレクター板７４は、第二のカバー部材１７５ｂと第三のカバー部材１７５ｃとの間に配置される。第一のカバー部材１７５ａと、第二のカバー部材１７５ｂは、共に容器状の形状を有しており、形状的に適合する。第三のカバー部材１７５ｃは、第一のカバー部材１７５ａ又は第二のカバー部材１７５ｂの開口を閉じるように設けられている。第二のカバー部材１７５ｂの表面には模様が凹凸により付けられ、第三のカバー部材１７５ｃの表面にも凹凸が付けられており、カバー１７５は光をより拡散させるとともに装飾性が増す。
【００８４】
（第３の実施の形態の効果）
カバー１７５が、層状に重ねた複数の部材（第一のカバー部材１７５ａと、第二のカバー部材１７５ｂと、第三のカバー部材１７５ｃ）から構成される。従って、カバー１７５において、複数の部材によって、光を複数回拡散できるため効率的な装飾装置７０の発光が可能である。
【００８５】
なお、今回開示した上記の各実施の形態は、すべての点で例示であって制限的なものではない。また、本発明の範囲は前述した発明の説明ではなく特許請求の範囲によって示され、特許請求の範囲と均等の意味及び内容の範囲でのすべての変更が含まれることが意図される。
【符号の説明】
【００８６】
１        遊技機
３０      遊技盤
７０      装飾装置
７１      ＬＥＤ基板
７１ｄ    ＬＥＤ（光源）
７２      取付けベース
７３      リフレクター搭載部
７４      リフレクター板
７４ａ    反射部
７４ｄ    透明部
７５      カバー
７６      装飾部材
７７      装飾部分
８０      リフレクター
８０ａ    反射部
８０ｂ    溝
８０ｃ    開口部
１０１    反射光の光路
１０２    直接光の光路
１７５    カバー
１７５ａ  カバー部材
１７５ｂ  カバー部材
１７５ｃ  カバー部材
【図１】
0005878802.tif 000002
【図２】
0005878802.tif 000003
【図３】
0005878802.tif 000004
【図４】
0005878802.tif 000005
【図５】
0005878802.tif 000006
【図６】
0005878802.tif 000007
【図７】
0005878802.tif 000008
【図８】
0005878802.tif 000009
【図９】
0005878802.tif 000010
【図１０】
0005878802.tif 000011
【図１１】
0005878802.tif 000012